(57)【要約】【課題】ある調光度の光出力で点灯状態にあるＬＥＤ素子を消灯、または、消灯からある調光度の光出力で点灯する際に演出効果が得られるようにした電源装置を提供する。【解決手段】制御部21は、予め設定された調光度よりも浅い調光度領域では定電流制御手段19によって定電流制御し、予め設定された調光度よりも深い調光度領域では定電圧制御手段20によって定電圧制御する。制御部21は、ＬＥＤ素子11の点灯状態においてＬＥＤ素子11の消灯に相当する最も深い調光度の調光信号を入力したときに、直前の調光度からＬＥＤ素子11の光出力を徐々に低下させ、ＬＥＤ素子11を消灯させる。【選択図】図１
2014089844.tif 000002
【特許請求の範囲】
【請求項１】
発光素子を点灯させる直流出力を生成する直流出力生成手段と；
発光素子に流れる電流を一定に制御する定電流制御手段と；
発光素子に印加される負荷電圧および発光素子に投入される負荷電力のいずれか一方を一定に制御する負荷制御手段と；
調光手段から任意の調光度の調光信号を入力し、予め設定された調光度よりも浅い調光度領域では定電流制御手段によって定電流制御するとともに、予め設定された調光度よりも深い調光度領域では負荷制御手段によって定電圧制御および定電力制御のいずれか一方で制御し、発光素子の点灯状態において発光素子の消灯に相当する最も深い調光度の調光信号を入力したときには直前の調光度から発光素子の光出力を徐々に低下させて発光素子を消灯させる制御手段と；
を具備していることを特徴とする電源装置。
【請求項２】
制御手段は、発光素子の消灯に相当する最も深い調光度の調光信号が入力している状態において発光素子の点灯に相当する所定の調光度の調光信号を入力したときに消灯状態の発光素子の光出力を徐々に上昇させて所定の調光度で発光素子を点灯させる
ことを特徴とする請求項１記載の電源装置。
【請求項３】
制御手段は、入力電源のオフ時に発光素子を直前の調光度の点灯状態から消灯させ、入力電源のオン時に発光素子を消灯状態から所定の調光度の点灯状態にする
ことを特徴とする請求項１または２記載の電源装置。
【請求項４】
発光素子を点灯させる直流出力を生成する直流出力生成手段と；
発光素子に流れる電流を一定に制御する定電流制御手段と；
発光素子に印加される負荷電圧および発光素子に投入される負荷電力のいずれか一方を一定に制御する負荷制御手段と；
調光手段から任意の調光度の調光信号を入力し、予め設定された調光度よりも浅い調光度領域では定電流制御手段によって定電流制御するとともに、予め設定された調光度よりも深い調光度領域では負荷制御手段によって定電圧制御および定電力制御のいずれか一方で制御し、入力電源のオフ時には直前の調光度から発光素子の光出力を徐々に低下させて発光素子を消灯させる制御手段と；
を具備していることを特徴とする電源装置。
【請求項５】
制御手段は、入力電源のオン時に消灯状態の発光素子の光出力を徐々に上昇させて所定の調光度で発光素子を点灯させる
ことを特徴とする請求項４記載の電源装置。
【請求項６】
発光素子と；
請求項１ないし５いずれか一記載の電源装置と；
を具備していることを特徴とする照明装置。
【発明の詳細な説明】
【技術分野】
【０００１】
本発明の実施形態は、発光素子を点灯させる電源装置および照明装置に関する。
【背景技術】
【０００２】
従来、発光素子としてＬＥＤ素子を点灯させる電源装置では、外部から所定の調光度の調光信号を入力し、調光度に応じてＬＥＤの光出力を調整する調光機能を有する電源装置がある。
【０００３】
このような調光機能を有する電源装置では、ＬＥＤ素子に流れる電流を一定に制御する定電流制御手段とともに、ＬＥＤ素子に印加される負荷電圧を一定に制御する定電圧制御手段を備えたものがある。そして、この電源装置では、調光度が浅い調光度領域すなわちＬＥＤ素子の光出力が大きい調光度領域では定電流制御を行い、調光度が深い調光度領域すなわちＬＥＤ素子の光出力が小さい調光度領域では定電圧制御を行うというように、調光度に応じて定電流制御と定電圧制御とを切り換えたりそれら制御の割合を変化させたりすることにより、広い調光度領域で安定したＬＥＤ素子の点灯制御を行うことができるようにしている。
【先行技術文献】
【特許文献】
【０００４】
【特許文献１】特開２００９−２３２６２３号公報
【特許文献２】特開２０１０−９２８４４号公報
【発明の概要】
【発明が解決しようとする課題】
【０００５】
しかしながら、従来の電源装置では、ＬＥＤ素子がある調光度の光出力で点灯状態にあるときに、ＬＥＤ素子の消灯に相当する最も深い調光度の調光信号が入力した場合、ＬＥＤ素子が直前の調光度での点灯状態から瞬時に消灯することになり、照明空間に存在する使用者に違和感を与える虞があった。
【０００６】
本発明が解決しようとする課題は、ある調光度の光出力で点灯状態にある発光素子を消灯、または、消灯からある調光度の光出力で点灯する際に演出効果が得られるようにした電源装置および照明装置を提供することである。
【課題を解決するための手段】
【０００７】
実施形態の電源装置は、発光素子を点灯させる直流出力を生成する直流出力生成手段を備える。定電流制御手段により、発光素子に流れる電流を一定に制御する。負荷制御手段により、発光素子に印加される負荷電圧および発光素子に投入される負荷電力のいずれか一方を一定に制御する。調光手段から任意の調光度の調光信号を制御手段に入力する。制御手段は、予め設定された調光度よりも浅い調光度領域では定電流制御手段によって定電流制御するとともに、予め設定された調光度よりも深い調光度領域では負荷制御手段によって定電圧制御および定電力制御のいずれか一方で制御する。制御手段は、発光素子の点灯状態において発光素子の消灯に相当する最も深い調光度の調光信号を入力したときに、直前の調光度から発光素子の光出力を徐々に低下させて発光素子を消灯させる。
【発明の効果】
【０００８】
本発明によれば、ある調光度での発光素子の点灯状態において発光素子の消灯に相当する最も深い調光度の調光信号が入力したときに、定電流制御と定電圧制御または定電力制御とによって、直前の調光度から発光素子の光出力を徐々に低下させて発光素子を消灯させることにより、滑らかにフェードアウトさせることができ、演出効果を得ることが期待できる。
【図面の簡単な説明】
【０００９】
【図１】第１の実施形態を示す電源装置の回路図である。
【図２】第２の実施形態を示す電源装置の回路図である。
【図３】第３の実施形態を示す電源装置の回路図である。
【図４】第４の実施形態を示す電源装置の回路図である。
【発明を実施するための形態】
【００１０】
以下、第１の実施形態を、図１を参照して説明する。
【００１１】
電源装置10は、商用交流電源である交流電源Ｅに接続され、１つまたは複数の発光素子としてのＬＥＤ素子11に直流電力を供給し、ＬＥＤ素子11を点灯させるものである。この電源装置10は、例えば、シーリングライト、ベースライトおよびダウンライトなど、ＬＥＤ素子11を用いた照明装置Ａに適用される。
【００１２】
電源装置10は、交流電源Ｅに接続される入力部12、ＬＥＤ素子11が接続される出力部13、入力部12に接続されるフィルタ回路（図示せず）、このフィルタ回路に接続される整流回路14、この整流回路14の出力側に接続される力率改善回路15、この力率改善回路15の出力側と出力部13との間に接続される直流出力生成手段16である電源電圧変換回路17、力率改善回路15を駆動する駆動部18、ＬＥＤ素子11に流れる電流を検出して一定に制御するための定電流制御手段19、ＬＥＤ素子11に印加する電圧を検出して一定に制御するための負荷制御手段としての定電圧制御手段20、定電流制御手段19および定電圧制御手段20からの信号に基づいて電源電圧変換回路17を制御する制御手段としての制御部21を具備している。
【００１３】
また、電源装置10の制御部21に調光信号を付与する調光手段22がある。ＬＥＤ素子11、電源装置10および調光手段22によって照明システムが構成されている。
【００１４】
そして、電源装置10の整流回路14は、全波整流器RECが用いられ、この全波整流器RECの入力端がフィルタ回路を介して交流電源Ｅに接続され、全波整流器RECの出力端に力率改善回路15の入力端が接続されている。
【００１５】
また、力率改善回路15は、整流回路14で整流された電源電圧を所定の電源電圧に昇圧する昇圧チョッパ回路で構成されている。全波整流器RECの出力端にチョッパチョークL1とＭＯＳＦＥＴなどの力率改善用スイッチング素子Q1との直列回路が接続されている。力率改善用スイッチング素子Q1のゲートに駆動部18が接続され、駆動部18による制御によって力率改善用スイッチング素子Q1がスイッチング動作する。駆動部18は、例えば集積回路が用いられている。
【００１６】
また、電源電圧変換回路17は、力率改善回路15で昇圧された電源電圧を所定の電源電圧に降圧してＬＥＤ素子11に出力する降圧チョッパ回路などのＤＣ−ＤＣコンバータで構成されている。電源電圧変換回路17は、力率改善用スイッチング素子Q1と並列に、ダイオードD1および平滑コンデンサC1の直列回路が接続されている。平滑コンデンサC1の両端に、ＭＯＳＦＥＴなどの変換用スイッチング素子Q2とダイオードD2との直列回路が接続されている。さらに、ダイオードD2のカソードにインダクタL2が接続され、ダイオードD2のアノードに抵抗R1が接続され、ダイオードD2に並列にＬＥＤ素子11が接続されている。そして、変換用スイッチング素子Q2のゲートにドライバ24が接続され、制御部21によって制御されるドライバ24によって変換用スイッチング素子Q2がスイッチング動作する。
【００１７】
また、定電流制御手段19は、ＬＥＤ素子11に流れる電流を検出する電圧検出手段としての抵抗R1を有する。さらに、定電流制御手段19は比較器25を有し、この比較器25の一方の入力端子にＬＥＤ素子11と抵抗R1との間から取り出されるＬＥＤ素子11に流れる負荷電流が抵抗R2，R3で分圧されて入力され、また、比較器25の他方の入力端子に基準電流信号発生部26からの基準電流信号が抵抗R4，R5で分圧されて入力される。基準電流信号発生部26から供給する基準電流信号は、制御部21に入力される調光信号に応じて、調光度が最も浅く全光点灯に相当する基準電流信号から調光度が最も深く消灯に相当する基準電流信号の範囲で可変される。そして、比較器25は、比較結果に応じた信号を出力端子から制御部21に出力する。
【００１８】
また、定電圧制御手段20は、ＬＥＤ素子11に印加される電圧を検出する電圧検出手段としてのR6およびR7を有する。さらに、定電圧制御手段20は比較器27を有し、この比較器27の一方の入力端子にインダクタL2とＬＥＤ素子11との間から取り出されるＬＥＤ素子11に印加される負荷電圧が抵抗R6，R7で分圧されて入力され、また、比較器27の他方の入力端子に基準電圧信号発生部28からの基準電圧信号が抵抗R8，R9で分圧されて入力される。基準電圧信号発生部28から供給する基準電圧信号は、制御部21に入力される調光信号に応じて、調光度が最も浅く全光点灯に相当する基準電圧信号から調光度が最も深く消灯に相当する基準電圧信号の範囲で可変される。そして、比較器27は、比較結果に応じた信号を出力端子から制御部21に出力する。
【００１９】
また、制御部21は、例えばマイコンによって構成されており、調光手段22から入力される調光信号、定電流制御手段19および定電圧制御手段20から入力される信号に基づいて、ドライバ24を介して変換用スイッチング素子Q2をフィードバック制御する。制御部21には、整流回路14で整流された電源電圧を制御電源部（図示せず）で制御電源に変換して供給される。
【００２０】
そして、制御部21は、調光手段22から任意の調光度の調光信号を入力し、予め設定された調光度よりも浅い調光度領域では定電流制御手段19によって制御するとともに、予め設定された調光度よりも深い調光度領域では定電圧制御手段20によって制御し、また、ＬＥＤ素子11の点灯状態においてＬＥＤ素子11の消灯に相当する最も深い調光度の調光信号が入力したときには直前の調光度からＬＥＤ素子11の光出力を徐々に低下させてＬＥＤ素子11を消灯させ（フェードアウト）、さらに、ＬＥＤ素子11の消灯に相当する最も深い調光度の調光信号が入力している消灯状態においてＬＥＤ素子11の点灯に相当する所定の調光度の調光信号が入力したときに、消灯状態のＬＥＤ素子11の光出力を徐々に上昇させて所定の調光度でＬＥＤ素子11を点灯させる（フェードイン）機能を有している。また、制御部21は、入力電源のオフ時にＬＥＤ素子11を直前の調光度の点灯状態から消灯状態にし、入力電源のオン時にＬＥＤ素子11を消灯状態から所定の調光度の点灯状態にする。すなわち、制御部21は、入力電源のオフ時にＬＥＤ素子11を直前の調光度の点灯状態から、フェードアウトをすることなく消灯させ、入力電源のオン時にＬＥＤ素子11をＬＥＤ素子11の消灯に相当する最も深い調光度の調光信号が入力しているか否かに関わらず、フェードインすることなく所定の調光度の点灯状態にする。
【００２１】
また、調光手段22は、例えば、壁面に設置される調光器や、オフィスなどの照明を一括して遠隔制御する照明システムの調光信号発生器などで構成されている。調光信号の調光度が最も浅い場合がＬＥＤ素子11の全光点灯に相当し、最も深い場合がＬＥＤ素子11の消灯に相当する。調光信号には、ＰＷＭ信号が用いられ、ＰＷＭ信号のオンデューティの０％が最も浅い調光度に相当し、ＰＷＭ信号のオンデューティの１００％が最も深い調光度に相当する。
【００２２】
次に、電源装置10の動作を説明する。
【００２３】
交流電源Ｅが全波整流器RECで整流されて力率改善回路15に入力される。力率改善回路15では、駆動部18により力率改善用スイッチング素子Q1がスイッチング動作し、全波整流器RECで整流された電源電圧を所定の電源電圧に昇圧し、電源電圧変換回路17に供給する。
【００２４】
電源電圧変換回路17では、昇圧された電源電圧を平滑コンデンサC1で平滑し、制御部21による制御で変換用スイッチング素子Q2がスイッチング動作し、電源電圧変換回路17に供給された電源電圧を所定の電源電圧に降圧し、ＬＥＤ素子11に供給する。これにより、ＬＥＤ素子11が点灯する。
【００２５】
また、制御部21は、調光手段22から入力される調光信号の調光度に応じて、変換用スイッチング素子Q2のスイッチング動作を制御し、ＬＥＤ素子11を全光点灯から消灯までの範囲で調光する。
【００２６】
制御部21は、調光手段22から入力される調光信号の調光度が予め設定された調光度よりも浅い調光度領域すなわちＬＥＤ素子11の光出力が高い高輝度領域の場合には、定電流制御手段19によってＬＥＤ素子11に流れる電流を検出し、その電流が一定になるように変換用スイッチング素子Q2のスイッチング動作をフィードバック制御し、ＬＥＤ素子11の光出力を安定させる。
【００２７】
一方、調光手段22から入力される調光信号の調光度が予め設定された調光度よりも深い調光度領域すなわちＬＥＤ素子11の光出力が低い低輝度領域の場合には、定電圧制御手段20によってＬＥＤ素子11に印加される電圧を検出し、その電圧が一定になるように変換用スイッチング素子Q2のスイッチング動作をフィードバック制御し、ＬＥＤ素子11の光出力を安定させる。
【００２８】
また、ある調光度でＬＥＤ素子11が点灯状態にあるときに、制御部21に調光手段22からＬＥＤ素子11の消灯に相当する最も深い調光度の調光信号（ＰＷＭ信号のオンデューティの１００％）が入力されたときには、制御部21は、ＬＥＤ素子11を瞬時に消灯させるのではなく、直前の調光度からＬＥＤ素子11の光出力を徐々に低下させてＬＥＤ素子11を消灯させるように、変換用スイッチング素子Q2のスイッチング動作を制御する。
【００２９】
このとき、直前の調光度がどのような調光度であったとしても、定電流制御と定電圧制御とによって、直前の調光度からＬＥＤ素子11の光出力を徐々に低下させてＬＥＤ素子11を消灯させることにより、滑らかにフェードアウトできる。
【００３０】
また、ＬＥＤ素子11が消灯状態にあるときに、制御部21に調光手段22からＬＥＤ素子11の点灯に相当する所定の調光度の調光信号（例えばＰＷＭ信号のオンデューティの０％）が入力された場合には、制御部21は、ＬＥＤ素子11を瞬時に所定の調光度で点灯させるのではなく、消灯状態のＬＥＤ素子11の光出力を徐々に上昇させて所定の調光度でＬＥＤ素子11を点灯させるように、変換用スイッチング素子Q2のスイッチング動作を制御する。
【００３１】
このとき、定電流制御と定電圧制御とによって、消灯状態のＬＥＤ素子11の光出力を徐々に上昇させてＬＥＤ素子11を点灯させることにより、滑らかにフェードインできる。
【００３２】
また、ある調光度でＬＥＤ素子11が点灯状態にあるときに、例えば交流電源Ｅと電源装置10との間に介在される壁スイッチがオフされた入力電源のオフ時には、制御部21への制御電源が断たれることにより、変換用スイッチング素子Q2がオフし、フェードアウト動作することなく、ＬＥＤ素子11が直前の調光度の点灯状態から消灯状態に瞬時に移行する。
【００３３】
また、壁スイッチがオフ状態からオンされた入力電源のオン時には、制御部21が動作を開始すると、フェードイン動作することなく、ＬＥＤ素子11を消灯状態から調光手段22から入力されている所定の調光度の点灯状態に瞬時に移行させる。
【００３４】
このように電源装置10では、ある調光度でのＬＥＤ素子11の点灯状態においてＬＥＤ素子11が消灯する最も深い調光度の調光信号が入力した場合に、定電流制御と定電圧制御とによって、直前の調光度からＬＥＤ素子11の光出力を徐々に低下させてＬＥＤ素子11を消灯させることにより、滑らかにフェードアウトさせることができ、良好な演出効果を得ることができる。また、照明空間に存在する使用者に違和感を与えることなく、点灯から消灯にＬＥＤ素子11を制御することができる。
【００３５】
さらに、ＬＥＤ素子11の消灯状態においてＬＥＤ素子11の点灯に相当する所定の調光度の調光信号が入力した場合に、定電流制御と定電圧制御とによって、消灯状態のＬＥＤ素子11の光出力を徐々に上昇させて所定の調光度でＬＥＤ素子11を点灯させることにより、滑らかにフェードインさせることができ、良好な演出効果を得ることができる。また、照明空間に存在する使用者に違和感を与えることなく、消灯から点灯にＬＥＤ素子11を制御することができる。
【００３６】
また、入力電源のオフ時にＬＥＤ素子11を直前の調光度の点灯状態から消灯状態に移行させ、入力電源のオン時にＬＥＤ素子11を消灯状態から所定の調光度の点灯状態に移行させるため、フェードアウトやフェードインをすることなく、瞬時に消灯や点灯させることが選択できる。
【００３７】
次に、図２に、第２の実施形態を示す。なお、第１の実施形態と同一の構成および作用効果については同一符号を用いてその説明を省略する。
【００３８】
第２の実施形態では、負荷制御手段として、第１の実施形態の定電圧制御手段20に代えて、ＬＥＤ素子11に投入される負荷電力を一定に制御する定電力制御手段30が用いられている。
【００３９】
定電力制御手段30は、ＬＥＤ素子11に投入される電力を検出する電力検出手段として抵抗R10，R11，R12を有する。定電力制御手段30は比較器31を有し、この比較器31の一方の入力端子にＬＥＤ素子11と並列に接続された抵抗R10，R11間と接地側の抵抗R12との間から取り出されるＬＥＤ素子11に流れる電流と印加される電圧とが含まれる負荷電力が入力され、また、比較器31の他方の入力端子に基準電力信号発生部32からの基準電力信号が抵抗R13，R14で分圧されて入力される。基準電力信号発生部32から供給する基準電力信号は、制御部21に入力される調光信号に応じて、調光度が最も浅く全光点灯に相当する基準電力信号から調光度が最も深く消灯に相当する基準電力信号の範囲で可変される。そして、比較器31は、比較結果に応じた信号を出力端子から制御部21に出力する。
【００４０】
そして、この電源装置10は、第１の実施形態の定電圧制御手段20に代えて定電力制御手段30を用いた以外は、上述した第１の実施形態と同様に動作し、同様の作用効果を有する。
【００４１】
次に、図３に第３の実施形態を示す。なお、前記実施形態と同一の構成および作用効果については同一符号を用いてその説明を省略する。
【００４２】
第３の実施形態では、第１の実施形態の電源装置10において、整流回路14で整流された電源電圧を所定の制御電源に変換する電源部34、および電源部34を通じて入力電源のオンオフを検知するとともにこの入力電源のオンオフに応じた信号および制御電源を制御部21に出力する電源制御部35を備えている。電源部34は、所定量の電力を蓄えて放出可能とするコンデンサなどの容量性素子を有しており、入力電源のオフ後に容量性素子に蓄えられた電力によって制御電源を所定時間供給し続けることが可能になっている。
【００４３】
制御部21は、電源制御部35から入力電源のオフ信号を入力すると、直前の調光度からＬＥＤ素子11の光出力を徐々に低下させてＬＥＤ素子11を消灯させ（フェードアウト）、さらに、電源制御部35から制御電源とともに入力電源のオン信号を入力すると、消灯状態のＬＥＤ素子11の光出力を徐々に上昇させて所定の調光度でＬＥＤ素子11を点灯させる（フェードイン）機能を有している。
【００４４】
そして、ある調光度でＬＥＤ素子11が点灯状態にあるときに、例えば交流電源Ｅと電源装置10との間に介在される壁スイッチがオフされると、電源装置10に対して入力電源がオフする。この入力電源のオフ後も、電源部34は容量性素子に蓄えられた電力によって制御電源を電源制御部35や制御部21に対して所定時間供給し続け、また、電源制御部35が入力電源のオフを検出して入力電源のオフ信号を制御部21に出力する。
【００４５】
制御部21は、入力電源のオフ信号を入力すると、ＬＥＤ素子11を瞬時に消灯させるのではなく、直前の調光度からＬＥＤ素子11の光出力を徐々に低下させてＬＥＤ素子11を消灯させるように、変換用スイッチング素子Q2のスイッチング動作を制御する。なお、電源電圧変換回路17では、入力電力のオフ後も、平滑コンデンサC1に蓄えられていた電力の放出によって、直前の調光度からＬＥＤ素子11の光出力を徐々に低下させて消灯させることが可能になっている。
【００４６】
このとき、直前の調光度がどのような調光度であったとしても、定電流制御と定電圧制御とによって、直前の調光度からＬＥＤ素子11の光出力を徐々に低下させてＬＥＤ素子11を消灯させることにより、滑らかにフェードアウトできる。
【００４７】
また、壁スイッチがオフ状態からオンされ、電源装置10の入力電源がオンすると、電源部34から電源制御部35および制御部21に制御電源を供給し、また、電源制御部35が入力電源のオンを検出して入力電源のオン信号を制御部21に出力する。
【００４８】
制御部21は、制御電源の入力で起動して、入力電源のオン信号を入力すると、ＬＥＤ素子11を瞬時に所定の調光度で点灯させるのではなく、消灯状態のＬＥＤ素子11の光出力を徐々に上昇させて所定の調光度でＬＥＤ素子11を点灯させるように、変換用スイッチング素子Q2のスイッチング動作を制御する。
【００４９】
このとき、定電流制御と定電圧制御とによって、消灯状態のＬＥＤ素子11の光出力を徐々に上昇させてＬＥＤ素子11を点灯させることにより、滑らかにフェードインできる。
【００５０】
なお、調光信号の入力に基づくフェードイン、フェードアウトは、第１の実施形態と同様である。
【００５１】
このように電源装置10では、入力電源のオフ時に、定電流制御と定電圧制御とによって、直前の調光度からＬＥＤ素子11の光出力を徐々に低下させてＬＥＤ素子11を消灯させることにより、滑らかにフェードアウトさせることができ、良好な演出効果を得ることができる。また、照明空間に存在する使用者に違和感を与えることなく、点灯から消灯にＬＥＤ素子11を制御することができる。
【００５２】
さらに、入力電源のオン時にも、定電流制御と定電圧制御とによって、消灯状態のＬＥＤ素子11の光出力を徐々に上昇させて所定の調光度でＬＥＤ素子11を点灯させることにより、滑らかにフェードインさせることができ、良好な演出効果を得ることができる。また、照明空間に存在する使用者に違和感を与えることなく、消灯から点灯にＬＥＤ素子11を制御することができる。
【００５３】
次に、図４に第４の実施形態を示す。なお、前記実施形態と同一の構成および作用効果については同一符号を用いてその説明を省略する。
【００５４】
第４の実施形態では、第２の実施形態の電源装置10において、第３の実施形態と同様に電源部34および電源制御部35を備えている。
【００５５】
したがって、この電源装置10においても、入力電源のオフ時およびオン時に、滑らかにフェードアウトおよびフェードインさせることができ、良好な演出効果を得ることができる。
【００５６】
なお、発光素子としては、ＬＥＤ素子11に限らず、ＥＬ素子などの他の発光素子でもよい。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
10    電源装置
11    発光素子としてのＬＥＤ素子
16    直流出力生成手段
19    定電流制御手段
20    負荷制御手段としての定電圧制御手段
21    制御手段としての制御部
22    調光手段
30    負荷制御手段としての定電力制御手段
Ａ    照明装置
【図１】
2014089844.tif 000003
【図２】
2014089844.tif 000004
【図３】
2014089844.tif 000005
【図４】
2014089844.tif 000006